(57)【要約】【課題】インクジェット画像形成装置において、簡単な構成にて記録媒体の搬送精度を上げ、高画質の形成画像を得るようにする。【解決手段】インクジェットヘッド３の用紙搬送方向における長さｎと、用紙搬送ローラ２の円周Ｌとの関係をｎ＝Ｌに設定し、インクジェットヘッド３の動作と用紙搬送ローラ２の用紙Ｐの搬送動作とにおけるタイミングずれの発生を防ぐことにより、インクジェットヘッド３の動作に対する用紙搬送精度を高め、形成画像の画質を向上させる。【選択図】図１
2006192650.tif 000002
【特許請求の範囲】
【請求項１】
記録媒体を搬送するため回転駆動される搬送ローラと、ノズルからインクを吐出させて前記記録媒体に対して文字や画像を形成するインクジェットヘッドとを具備したインクジェット画像形成装置において、
記録媒体搬送方向における前記搬送ローラの円周の長さと前記インクジェットヘッドの長さを同一にしたことを特徴とするインクジェット画像形成装置。
【請求項２】
記録媒体を搬送するため回転駆動される搬送ローラと、ノズルからインクを吐出させて前記記録媒体に対して文字や画像を形成するインクジェットヘッドとを具備したインクジェット画像形成装置において、
記録媒体搬送方向における前記搬送ローラの円周の長さをＬ、記録媒体搬送方向における前記インクジェットヘッドの長さをｎ、前記インクジェットヘッドにおける記録媒体搬送方向の移動によるオーバーラップ量をｘとして、前記搬送ローラの円周の長さＬが
Ｌ＝ｎ−ｘ
となるように設定したことを特徴とするインクジェット画像形成装置。
【請求項３】
前記搬送ローラに、搬送ローラの回転を制動する制動手段を設けたことを特徴とする請求項１または２記載のインクジェット画像形成装置。
【請求項４】
前記搬送ローラの少なくとも１箇所に凹部を設け、かつ該凹部に脱着して前記搬送ローラの回転を制動する制動部材を設置したことを特徴とする請求項１または２記載のインクジェット画像形成装置。
【請求項５】
前記搬送ローラの凹部と該凹部に嵌着する前記制動部材との嵌合幅を略同一にしたことを特徴とする請求項４記載のインクジェット画像形成装置。
【発明の詳細な説明】
【技術分野】
【０００１】
本発明は、用紙などの記録媒体を搬送する搬送ローラと、記録媒体に対して文字や画像を形成するインクジェットヘッドとを具備するインクジェット画像形成装置に関するものである。
【背景技術】
【０００２】
現状のインクジェット画像形成装置は、用紙の搬送精度があまり良くないため、１枚の用紙に画像を形成する際、インクジェットヘッドを複数回走査させるときに、インクジェットヘッドの継ぎ目に隙間が生じて、画質を著しく低下させることがある。
【０００３】
このため高品位の画像形成が安定して行われるように、特許文献１に記載されているような、ノズル群の配列構造を工夫したインクジェット記録ヘッド、あるいは特許文献２に記載されているような、記録媒体を搬送する搬送ベルトに設けられたスケール部をエンコーダで読み取り、エンコーダの出力に基づき印字開始位置を指定する構成のインクジェット記録装置などが提案されている。
【特許文献１】特開平１１−３１４３８１号公報
【特許文献２】特開２００４−１７５０５号公報
【発明の開示】
【発明が解決しようとする課題】
【０００４】
本発明は、前記従来の課題を解決するものであり、インクジェット画像形成装置において、簡単な構成にて記録媒体の搬送精度を上げることができて、高画質の形成画像を得ることができるようにすることを目的とする。
【課題を解決するための手段】
【０００５】
前記目的を達成するため、請求項１に記載の発明は、記録媒体を搬送するため回転駆動される搬送ローラと、ノズルからインクを吐出させて前記記録媒体に対して文字や画像を形成するインクジェットヘッドとを具備したインクジェット画像形成装置において、記録媒体搬送方向における前記搬送ローラの円周の長さと前記インクジェットヘッドの長さを同一にしたことを特徴とし、この構成によって、記録媒体に対応する搬送ローラとインクジェットヘッドの長さを同一にしたことにより、用紙搬送精度を上げることができる。
【０００６】
請求項２に記載の発明は、記録媒体を搬送するため回転駆動される搬送ローラと、ノズルからインクを吐出させて前記記録媒体に対して文字や画像を形成するインクジェットヘッドとを具備したインクジェット画像形成装置において、記録媒体搬送方向における前記搬送ローラの円周の長さをＬ、記録媒体搬送方向における前記インクジェットヘッドの長さをｎ、前記インクジェットヘッドにおける記録媒体搬送方向の移動によるオーバーラップ量をｘとして、前記搬送ローラの円周の長さＬが
Ｌ＝ｎ−ｘ
となるように設定したことを特徴とする。
【０００７】
この構成によって、インクジェットヘッドの印字動作時におけるヘッド移動のオーバーラップを考慮して、搬送ローラの円周の長さを設定したことにより、用紙搬送精度を上げることができる。
【０００８】
請求項３に記載の発明は、請求項１または２記載のインクジェット画像形成装置において、搬送ローラに、搬送ローラの回転を制動する制動手段を設けたことを特徴とし、この構成によって、搬送ローラの回転精度を向上させることができ、用紙搬送精度を上げることができる。
【０００９】
請求項４に記載の発明は、請求項１または２記載のインクジェット画像形成装置において、搬送ローラの少なくとも１箇所に凹部を設け、かつ該凹部に脱着して前記搬送ローラの回転を制動する制動部材を設置したことを特徴とし、この構成によって、簡素化された構造によって、搬送ローラの回転精度を向上させることができ、用紙搬送精度を上げることができる。
【００１０】
請求項５に記載の発明は、請求項４記載のインクジェット画像形成装置において、搬送ローラの凹部と該凹部に嵌着する制動部材との嵌合幅を略同一にしたことを特徴とし、この構成によって、搬送ローラの回転精度を、より確実に安定して向上させることができる。
【発明の効果】
【００１１】
本発明によれば、簡単な構成によって、用紙搬送精度を上げることができ、用紙の搬送の精度が上がり、より高画質の画質を得ることができる。
【発明を実施するための最良の形態】
【００１２】
以下、本発明の実施形態を図面に基づいて説明する。
【００１３】
図１は本発明の実施形態１を説明するためのインクジェット画像形成装置の要部を示す構成図であり、１は記録媒体である用紙Ｐを搬送する用紙搬送ベルト、２は用紙搬送ベルト１を回転駆動する用紙搬送ローラ、３は図示しないノズルからインクを吐出させて用紙Ｐに対して文字や画像を形成するインクジェットヘッドである。
【００１４】
図１において、用紙Ｐは、用紙搬送ローラ２の回転駆動を受けて移動する用紙搬送ベルト１により、給紙側からインクジェットヘッド３を経て排紙側に搬送され、インクジェットヘッド３において画像データに基づくノズルの動作制御によって、文字や画像が印字される。
【００１５】
また、実施形態１では、インクジェットヘッド３の用紙搬送方向における長さｎと、用紙搬送ローラ２の円周Ｌが、ｎ＝Ｌになるようにしている。これにより、インクジェットヘッド３の動作と用紙搬送ローラ２の用紙Ｐの搬送動作とにおけるタイミングずれの発生を防ぐことができ、インクジェットヘッド３の動作に対する用紙搬送精度が向上し、インクジェットヘッド３による形成画像に白すじの隙間が生じたりする不具合の発生を防止することができる。
【００１６】
図２は本発明の実施形態２を説明するためのインクジェット画像形成装置の要部を示す構成図である。なお、以下の説明において、図１にて説明した部材に対応する部材には同一符号を付して詳しい説明は省略する。
【００１７】
実施形態２では、用紙Ｐの搬送方向における用紙搬送ローラ２の円周の長さをＬ、用紙搬送方向におけるインクジェットヘッド３の長さをｎ、インクジェットヘッド３における用紙搬送方向の移動によるオーバーラップ量をｘとして、用紙搬送ローラ２の円周の長さＬが
Ｌ＝ｎ−ｘ
を満足するように設定している。
【００１８】
実施形態２によれば、インクジェットヘッド３の印字動作時における移動のオーバーラップを考慮して、用紙搬送ローラ２の円周の長さを設定することにより、用紙搬送精度を上げることができる。
【００１９】
図３は本発明の実施形態３を説明するためのインクジェット画像形成装置の要部を示す構成図である。
【００２０】
実施形態３では、用紙搬送ローラ２に凹部（少なくとも１箇所）４を設け、この凹部４に脱着して用紙搬送ローラ２の回転を制動する板状の制動部材５を設置したものである。凹部４と制動部材５との嵌合部分の幅ａ，ｂは略同一幅とし、両者の嵌合の遊びをなくすようにしている。
【００２１】
前記制動部材５は、用紙搬送ローラ２の回転状態を実測した情報を受けた制御部（図示せず）によりコントロールされる駆動部（図示せず）により、用紙搬送ローラ２の凹部４と嵌合し、用紙搬送ローラ２の過回転などを制動する。この制動動作により、用紙搬送ローラ２の回転精度を上げることができ、用紙搬送精度が向上する。
【００２２】
図４（ａ）〜（ｃ）は実施形態３における制動部材の変形例の説明図であり、本例では、凹部４の外部開口側の周囲に制動部材５が入りやすいように傾斜部６を形成し、さらに凹部４内部の一部（本例では底部）に制動部材５が挿入されたことを感知するためのセンサ７を設置している。
【００２３】
図４（ａ），（ｂ）に示すように、制動部材５は、センサ７が制動部材５を感知しない限り、制動部によって凹部４内部へ挿入される矢印Ｓ方向の作動力を受けている。しかしながら、図４（ｃ）に示すように、センサ７が制動部材５を感知し、用紙搬送ローラ２に対する所定の制動が終了すると、制動部材５は駆動部により矢印Ｓとは反対方向の作動力を受けて、凹部４との嵌合が解除される方向に移動する。
【００２４】
なお、前記制動手段としては、前記構成のものに限定されず、用紙搬送ローラ２の回転精度を向上させために、用紙搬送ローラ２の回転を制動する構成のものであれば採用することができる。
【産業上の利用可能性】
【００２５】
本発明は、インクジェットヘッドを搭載した画像形成装置に適用され、特に、高画質の画像形成のため、簡単な構成にて記録媒体の搬送精度を上げることが要求されるインクジェット画像形成装置に実施して有効である。
【図面の簡単な説明】
【００２６】
【図１】本発明の実施形態１を説明するためのインクジェット画像形成装置の要部を示す構成図
【図２】本発明の実施形態２を説明するためのインクジェット画像形成装置の要部を示す構成図
【図３】本発明の実施形態３を説明するためのインクジェット画像形成装置の要部を示す構成図
【図４】（ａ）〜（ｃ）は実施形態３における制動部材の変形例の説明図
【符号の説明】
【００２７】
１  用紙搬送ベルト
２  用紙搬送ローラ
３  インクジェットヘッド
４  凹部
５  制動部材
６  傾斜部
７  センサ
【図１】
2006192650.tif 000003
【図２】
2006192650.tif 000004
【図３】
2006192650.tif 000005
【図４】
2006192650.tif 000006